(57)【特許請求の範囲】
【請求項１】
ハウジング収容筒及びコード接続端をもった状態に導電性金属板から曲げ加工されるシールドケースの前記ハウジング収容筒の内部に、前記コード接続端側から複数のコンタクタを支持する円柱状のコンタクタハウジングを挿入し、前記ハウジング収容筒の外周面を覆う絶縁筒をもつ絶縁性モールドケース本体で前記シールドケースの外面を覆う電気コネクタにおいて、前記ハウジング収容筒の周壁の一部にコ字溝を形成して同周壁の外部に突出する抜止め片を切り起こし、同抜止め片の先端に略直角に曲げ加工された係止爪を一体成形し、前記ハウジング収容筒に対する前記絶縁筒の嵌合により前記抜止め片を同周壁の内部に強制変形させて前記係止爪を前記コンタクタハウジングの凹所に係合させたことを特徴とする電気コネクタ。
【請求項２】
コ字断面とされる前記コード接続端は前記ハウジング収容筒に対して略直角に曲げ加工され、同コード接続端の解放部は、前記モールドケース本体の解放部を塞ぐ絶縁性のモールドケースカバーにより覆われることを特徴とする請求項１記載の電気コネクタ。
【請求項３】
コ字断面とされる前記コード接続端は前記ハウジング収容筒に対して略直角に曲げ加工され、同コード接続端の解放部は、前記ハウジング収容筒の挿入及び接続コードの取付け後に、前記ハウジング収容筒の延長上に折曲げ可能に曲げ加工されたコ字断面のコード覆いの折曲げによりシールドされ、同コード覆いの外面は前記モールドケース本体の解放部を塞ぐ絶縁性のモールドケースカバーにより覆われることを特徴とする請求項１記載の電気コネクタ。
【発明の詳細な説明】
【０００１】
【発明の属する技術分野】
本発明は電気コネクタに関し、特に複数のコンタクタをもつコンタクタハウジングをシールドケースの内部に収納する電気コネクタのコンタクタハウジングの抜け止め構造に関する。
【０００２】
【従来の技術】
周知のように、オーディオ機器等においては、例えばアンプ本体と周辺プレーヤとを接続するため、図４から図６に示すような接続プラグ形式の電気コネクタが用いられる場合がある。即ち、図４及び図５の符号”１Ａ”は薄い導電性金属板で曲げ加工されるシールドケースであり、このシールドケース１Ａは相手コネクタに先端を挿入できるハウジング収容筒１ａを備え、このハウジング収容筒１ａの内部には複数のコンタクタ２Ａを支持する円柱状のコンタクタハウジング３Ａが図の右方向から挿入される。
【０００３】
つまり、絶縁性樹脂で成形する同コンタクタハウジング３Ａの内部には、接続コード４Ａのコード芯線４ａにそれぞれハンダ付けされる互いに平行な複数のコンタクタ２Ａが固定されるけれども、このコンタクタハウジング３Ａを収容する前記ハウジング収容筒１ａの後端には同ハウジング収容筒１ａに対して略直角に折立てられた断面コ字状のコード接続端１ｂが一体加工される。
また、前記ハウジング収容筒１ａの後端には、同ハウジング収容筒１ａの延長上に位置するコ字状のコード覆い１ｃが曲げヒンジ１ｄを介して一体成形される。
【０００４】
したがって、接続コード４Ａを同電気コネクタに接続するに当たっては、接続コード４Ａの各コード芯線４ａをコンタクタハウジング３Ａのコンタクタ２Ａにハンダ付けした状態として、図の右方向からハウジング収容筒１ａの内部にコンタクタハウジング３Ａを押し込み、コード覆い１ｃの先端に一体加工するコードカシメ部１ｅに接続コード４Ａの絶縁被覆を固定した後、曲げヒンジ１ｄからコード覆い１ｃをコード接続端１ｂに向かって直角に折り、前記ハウジング収容筒１ａ及びコード接続端１ｂの外面を絶縁筒５ａを有したモールドケース本体５Ａで覆い、同モールドケース本体５Ａの解放部をモールドケース本体５Ａと同様の絶縁性樹脂で成形するモールドケースカバー６Ａで被覆することになる。
【０００５】
【発明が解決しようとする課題】
ところで、前述したような電気コネクタの構造では、ハウジング収容筒１ａの内部にコンタクタハウジング３Ａを固定する必要があるが、この目的のため、従来では、ハウジング収容筒１ａの周壁の一部にコ字溝７Ａで切り出された舌片状の抜止め片８Ａが加工される。つまり、この抜止め片８Ａは、ハウジング収容筒１ａに対するコンタクタハウジング３Ａの挿入以前にはハウジング収容筒１ａの周壁と同一平面内にあるが、同ハウジング収容筒１ａを挿入した後、図６の仮想線示のように、適当な治工具でコンタクタハウジング３Ａの凹所９Ａに対応してハウジング収容筒１ａの内部に折り込まれ、コンタクタハウジング３Ａの右方向への抜け出しを阻止する。
しかしながら、このような従来のコンタクタハウジング３Ａの抜け出し防止構造によると、ハウジング収容筒１ａの内部への抜止め片８Ａの変形量が不足したり、同抜止め片８Ａの塑性変形を忘れると、後発的にコンタクタハウジング３Ａがハウジング収容筒１ａの右方向へ移動して、機能不全を生じて、電気コネクタが不良品となる問題があった。
【０００６】
本発明の目的は、以上に述べたような従来の電気コネクタのコンタクタハウジングの抜け止め構造の問題に鑑み、特別な抜止め片の折り込み工程を必要とせず、確実にコンタクタハウジングがハウジング収容筒の内部に固定される電気コネクタを得るにある。
【０００７】
【課題を解決するための手段】
この目的を達成するため、本発明は、ハウジング収容筒及びコード接続端をもった状態に導電性金属板から曲げ加工されるシールドケースの前記ハウジング収容筒の内部に、前記コード接続端側から複数のコンタクタを支持する円柱状のコンタクタハウジングを挿入し、前記ハウジング収容筒の外周面を覆う絶縁筒をもつ絶縁性モールドケース本体で前記シールドケースの外面を覆う電気コネクタにおいて、前記ハウジング収容筒の周壁の一部にコ字溝を形成して同周壁の外部に突出する抜止め片を切り起こし、同抜止め片の先端に略直角に曲げ加工された係止爪を一体成形し、前記ハウジング収容筒に対する前記絶縁筒の嵌合により前記抜止め片を同周壁の内部に強制変形させて前記係止爪を前記コンタクタハウジングの凹所に係合させた電気コネクタを提案するものである。
また、後述する本発明の好ましい実施例の説明においては、コ字断面とされる前記コード接続端は前記ハウジング収容筒に対して略直角に曲げ加工され、同コード接続端の解放部は、前記モールドケース本体の解放部を塞ぐ絶縁性のモールドケースカバーにより覆われる構造、並びに、コ字断面とされる前記コード接続端は前記ハウジング収容筒に対して略直角に曲げ加工され、同コード接続端の解放部は、前記ハウジング収容筒の挿入及び接続コードの取付け後に、前記ハウジング収容筒の延長上に折曲げ可能に曲げ加工されたコ字断面のコード覆いの折曲げによりシールドされ、同コード覆いの外面は前記モールドケース本体の解放部を塞ぐ絶縁性のモールドケースカバーにより覆われる構造が説明される。
【０００８】
【実施例】
以下、図１から図３について本発明の実施例の詳細を説明する。
図１及び図２において、符号”１”は薄い導電性金属板で曲げ加工されるシールドケースであり、このシールドケース１は相手コネクタに先端を挿入できるハウジング収容筒１ａを備え、このハウジング収容筒１ａの内部には複数のコンタクタ２を支持する円柱状のコンタクタハウジング３が図の右方向から挿入される点では従来と同様である。
【０００９】
即ち、絶縁性樹脂で成形する同コンタクタハウジング３の内部には、接続コード４のコード芯線４ａにそれぞれハンダ付けされる互いに平行な複数のコンタクタ２が固定されるけれども、このコンタクタハウジング３を収容する前記ハウジング収容筒１ａの後端には同ハウジング収容筒１ａに対して略直角に折立てられた断面コ字状のコード接続端１ｂが一体加工され、また、前記ハウジング収容筒１ａの後端には、同ハウジング収容筒１ａの延長上に位置するコ字状のコード覆い１ｃが曲げヒンジ１ｄを介して一体成形される。
【００１０】
そして、接続コード４を同電気コネクタに接続するに当たっては、接続コード４の各コード芯線４ａをコンタクタハウジング３のコンタクタ２にハンダ付けした状態として、図の右方向からハウジング収容筒１ａの内部にコンタクタハウジング３を押し込み、コード覆い１ｃの先端に一体加工するコードカシメ部１ｅに接続コード４の絶縁被覆を固定した後、曲げヒンジ１ｄからコード覆い１ｃをコード接続端１ｂに向かって直角に折り、前記ハウジング収容筒１ａ及びコード接続端１ｂの外面を絶縁筒５ａを有したモールドケース本体５で覆い、同モールドケース本体５の解放部がモールドケース本体５と同様の絶縁性樹脂で成形するモールドケースカバー６で被覆されることになる。
【００１１】
本発明の特徴は、図３に示したように、ハウジング収容筒１ａの周壁の外部に突出した状態でハウジング収容筒１ａに曲げ成形される抜止め片８にあり、この抜止め片８の先端には略直角な係止爪１０がハウジング収容筒１ａの凹所９に面した状態で加工される。つまり、この抜止め片８はハウジング収容筒１ａの周壁に形成するコ字溝７により切り起こされるが、同抜止め片８の係止爪１０は、同ハウジング収容筒１ａの周壁の外部に位置しているので、ハウジング収容筒１ａの内部にコンタクタハウジング３を自由に挿入できる。
【００１２】
図示実施例による電気コネクタは、以上のような構造であるから、接続コード４の各コード芯線４ａをコンタクタハウジング３のコンタクタ２にハンダ付けした状態として、図の右方向からハウジング収容筒１ａの内部にコンタクタハウジング３を押し込み、コード覆い１ｃの先端に一体加工するコードカシメ部１ｅに接続コード４の絶縁被覆を固定した後、曲げヒンジ１ｄからコード覆い１ｃがコード接続端１ｂに向かって直角に折られることになる。この場合、抜止め片８及び係止爪１０は、図３の実線示のようにハウジング収容筒１ａの周壁の外部に位置しているので、コンタクタハウジング３は完全には固定されない。
【００１３】
次に、ハウジング収容筒１ａの左方向から絶縁筒５ａを嵌合し、ハウジング収容筒１ａ及びコード接続端１ｂをモールドケース本体５で覆う際、スクリュドライバの先端等で抜止め片８をコ字溝７の内部に向かって弾性変形させつつ、絶縁筒５ａをハウジング収容筒１ａに嵌めると、抜止め片８の先端の係止爪１０がコンタクタハウジング３の凹所９に係合するから、コンタクタハウジング３がハウジング収容筒１ａの内部に完全に固定状態におかれる。
【００１４】
この組立状態の係止爪１０は、モールドケース本体５の絶縁筒５ａがハウジング収容筒１ａから抜けない限り、コンタクタハウジング３の凹所９から外れることはないので、コンタクタハウジング３が後発的に移動してしまう不都合を回避できる。
なお、シールドケース１のハウジング収容筒１ａをモールドケース本体５で覆った後、同モールドケース本体５の解放部をモールドケースカバー６を覆った状態として、モールドケース本体５とモールドケースカバー６との間を高周波接着することにより電気コネクタが完成される。
【００１５】
【発明の効果】
以上の説明から明らかなように、本発明によれば、シールドケースに対するモールドケース本体の組立時に、ハウジング収容筒の外部に突出状態にある抜止め片を弾性変形させるだけで、ハウジング収容筒の内部にコンタクタハウジングを完全に固定できるから、従来のように、抜止め片の塑性変形を忘れたり、同抜止め片の塑性変形不足による後発的なコンタクタハウジングの抜け出しが回避され、製品原価を割高なものとすることなく、信頼性に富んだ電気コネクタを得ることができる。
【図面の簡単な説明】
【図１】本発明による電気コネクタの全体分解斜視図である。
【図２】同電気コネクタの全体断面図である。
【図３】同電気コネクタの要部拡大断面図である。
【図４】従来の電気コネクタの全体分解斜視図である。
【図５】同電気コネクタの全体断面図である。
【図６】同電気コネクタの要部拡大断面図である。
【符号の説明】
１      シールドケース
１ａ    ハウジング収容筒
１ｂ    コード接続端
１ｃ    コード覆い
２      コンタクタ
３      コンタクタハウジング
４      接続コード
４ａ    コード芯線
５      モールドケース本体
５ａ    絶縁筒
６      モールドケースカバー
７      コ字溝
８      抜止め片
９      凹所
１０    係止爪
【図１】
0003931398.tif 000002
【図２】
0003931398.tif 000003
【図３】
0003931398.tif 000004
【図４】
0003931398.tif 000005
【図５】
0003931398.tif 000006
【図６】
0003931398.tif 000007